(57)【要約】【課題】  ショッピング決済システムを提供する。【解決手段】  ショッピング決済システムは、複数の商品に関する情報を格納し、ユーザ端末に前記複数の商品に関する情報を提供するショッピングサーバ、および前記ユーザ端末によって前記複数の商品のうちから少なくとも１つの商品が選択され、前記選択された少なくとも１つの商品に対する決済要請を受信すると、前記決済要請に応答し、前記少なくとも１つの商品に関する情報に基づいて前記少なくとも１つの商品の決済をするための少なくとも１つのグラフィックコードを生成する決済サーバを含む。前記決済サーバは、ユーザのモバイル端末が前記少なくとも１つのグラフィック（ｇｒａｐｈｉｃａｌ）コードを認識して決済手続きを行う場合、前記少なくとも１つのグラフィックコードに対応する前記少なくとも１つの商品に関する情報を利用して、前記モバイル端末によって行われた決済手続きを承認する。【選択図】  図１
2016534453.tif 000002
【特許請求の範囲】
【請求項１】
複数の商品に関する情報を格納し、ユーザ端末に前記複数の商品に関する情報を提供するショッピングサーバ、および
前記ユーザ端末によって前記複数の商品のうちから少なくとも１つの商品が選択され、前記選択された少なくとも１つの商品に対する決済要請を受信すると、前記決済要請に応答し、前記少なくとも１つの商品に関する情報に基づいて前記少なくとも１つの商品の決済のための少なくとも１つのグラフィックコードを生成する決済サーバ
を含み、
前記決済サーバは、
ユーザのモバイル端末が前記少なくとも１つのグラフィック（ｇｒａｐｈｉｃａｌ）コードを認識して決済手続きを行う場合、前記少なくとも１つのグラフィックコードに対応する前記少なくとも１つの商品に関する情報を利用して、前記モバイル端末によって行われた決済手続きを承認することを特徴とする、グラフィックコードを利用したショッピング決済システム。
【請求項２】
前記決済サーバは、
前記ショッピングサーバから前記選択された少なくとも１つの商品を含むショッピングカートに関する情報を受信し、前記ショッピングカート内に含まれている前記選択された少なくとも１つの商品それぞれに対して個別にグラフィックコードを生成することを特徴とする、請求項１に記載のショッピング決済システム。
【請求項３】
前記決済サーバは、
前記ショッピングサーバから前記選択された少なくとも１つの商品を含むショッピングカートに関する情報を受信し、前記ショッピングカート内に含まれている前記選択された少なくとも１つの商品すべてに対して単一のグラフィックコードを生成することを特徴とする、請求項１に記載のショッピング決済システム。
【請求項４】
前記少なくとも１つのグラフィックコードに関する情報は、
前記選択された少なくとも１つの商品の価格または商品番号に関する情報、販売者に関する情報、購入者に関する情報または注文番号に関する情報のうちの少なくとも１つを含むことを特徴とする、請求項１に記載のショッピング決済システム。
【請求項５】
前記モバイル端末が前記グラフィックコードを認識することに応答し、前記モバイル端末は、前記少なくとも１つのグラフィックコードを利用して、前記ユーザによって予め登録された少なくとも１つの決済手段に対するオプションをディスプレイすることを特徴とする、請求項１に記載のショッピング決済システム。
【請求項６】
前記グラフィックコードは、
バーコードまたはＱＲコードを含むことを特徴とする、請求項１に記載のショッピング決済システム。
【請求項７】
前記ショッピングサーバは、
インターネットショッピングモールまたはテレビショッピングモールのうちの少なくとも１つと連動することを特徴とする、請求項１に記載のショッピング決済システム。
【請求項８】
ショッピングサーバ、決済サーバ、およびユーザ端末を含むショッピング決済システムにおける前記決済サーバの決済処理方法であって、
複数の商品のうち、前記ユーザ端末によって選択された少なくとも１つの商品に関する情報を含む決済要請を受信する段階、
前記決済要請に応答し、前記少なくとも１つの商品に関する情報に基づいて前記少なくとも１つの商品の決済のための少なくとも１つのグラフィックコードを生成する段階、および
ユーザのモバイル端末が前記少なくとも１つのグラフィック（ｇｒａｐｈｉｃａｌ）コードを認識して決済手続きを行う場合、前記少なくとも１つのグラフィックコードに対応する前記少なくとも１つの商品に関する情報を利用して、前記モバイル端末によって行われる決済手続きを承認する段階
を含むことを特徴とする、決済サーバの決済処理方法。
【請求項９】
前記少なくとも１つの商品の決済のための少なくとも１つのグラフィックコードを生成する段階は、
前記ショッピングサーバから前記選択された少なくとも１つの商品を含むショッピングカートに関する情報を受信し、前記ショッピングカート内に含まれている前記選択された少なくとも１つの商品それぞれに対して個別にグラフィックコードを生成する段階
を含むことを特徴とする、請求項８に記載の決済サーバの決済処理方法。
【請求項１０】
前記少なくとも１つの商品の決済のための少なくとも１つのグラフィックコードを生成する段階は、
前記ショッピングサーバから前記選択された少なくとも１つの商品を含むショッピングカートに関する情報を受信し、前記ショッピングカート内に含まれている前記選択された少なくとも１つの商品すべてに対して単一のグラフィックコードを生成する段階
を含むことを特徴とする、請求項８に記載の決済サーバの決済処理方法。
【請求項１１】
前記少なくとも１つのグラフィックコードを利用して、前記ユーザによって予め登録された少なくとも１つの決済手段に対するオプションを前記モバイル端末に送信する段階
をさらに含むことを特徴とする、請求項８に記載の決済サーバの決済処理方法。
【請求項１２】
前記決済手続きを承認する段階は、
前記少なくとも１つのグラフィックコードの生成時間、前記選択された少なくとも１つの商品が変更されたか否か、または前記選択された少なくとも１つの商品を含むショッピングカートが変更されたか否かのうちの少なくとも１つに基づき、前記少なくとも１つのグラフィックコードの有効性を検証する段階
を含むことを特徴とする、請求項８に記載の決済サーバの決済処理方法。
【請求項１３】
前記少なくとも１つのグラフィックコードに関する情報は、
前記選択された少なくとも１つの商品の価格または商品番号に関する情報、販売者に関する情報、購入者に関する情報または注文番号に関する情報のうちの少なくとも１つを含むことを特徴とする、請求項８に記載の決済サーバの決済処理方法。
【請求項１４】
前記少なくとも１つの商品の決済のための少なくとも１つのグラフィックコードを生成する段階は、
前記グラフィックコードを生成する複数の方式のうち、ユーザによって選択された方式を識別する段階、および
前記識別された方式にしたがって前記少なくとも１つのグラフィックコードを生成する段階
を含む、請求項８に記載の決済サーバの決済処理方法。
【発明の詳細な説明】
【技術分野】
【０００１】
本発明の実施形態は、インターネットショッピングモール、スマートテレビを利用したショッピングモールまたは一般的なテレビホームショッピングモールにおいて、ユーザによって選択された商品の費用を決済する技術に関する。
【背景技術】
【０００２】
多くの人は、マーケットに直接訪問せずに、インターネットショッピングモール、スマートテレビを利用したショッピングモール、テレビホームショッピングモールに接続することによって商品を購入する。このような仮想のショッピングモールは、相対的に低価格で商品を販売することから、ユーザはより便利に商品を購入することができる。
【０００３】
ユーザは、仮想のショッピングモールに接続した後に商品を選択し、選択した商品に対して適切な決済手段で決済を行う。例えば、ユーザは、インターネットショッピングモールに対するＩＤおよびパスワードを入力して商品を選択した後に、商品の決済を行うために、クレジットカード番号、パスワード、および有効期限を入力することによって決済を行う。
【０００４】
なお、最近では、スマートフォン、タブレットＰＣなどのような多くのモバイル機器がユーザによって使用されている。
【発明の概要】
【発明が解決しようとする課題】
【０００５】
本発明は、インターネットショッピングモール、スマートＴＶを利用したショッピングモール、ＴＶホームショッピングモールで決済を行うために、バーコードまたはＱＲコードを含むグラフィックコードをディスプレイし、モバイル端末を利用してグラフィックコードを認識することにより、より簡便に商品の費用を決済することができる。
【０００６】
また、本発明は、ショッピングを行うユーザ端末と決済を行うモバイル端末を個別に備えることにより、より安全に決済を行うことができる。
【課題を解決するための手段】
【０００７】
本発明の実施形態に係るショッピング決済システムは、複数の商品に関する情報を格納し、ユーザ端末に前記複数の商品に関する情報を提供するショッピングサーバ、および前記ユーザ端末によって前記複数の商品のうちから少なくとも１つの商品が選択され、前記選択された少なくとも１つの商品に対する決済要請を受信すると、前記決済要請に応答して、前記少なくとも１つの商品に関する情報に基づいて前記少なくとも１つの商品の決済のための少なくとも１つのグラフィックコードを生成する決済サーバを含む。ここで、前記決済サーバは、ユーザのモバイル端末が前記少なくとも１つのグラフィック（ｇｒａｐｈｉｃａｌ）コードを認識して決済手続きを行う場合、前記少なくとも１つのグラフィックコードに対応する前記少なくとも１つの商品に関する情報を利用して、前記モバイル端末によって行われた決済手続きを承認する。
【０００８】
前記決済サーバは、前記ショッピングサーバから前記選択された少なくとも１つの商品を含むショッピングカートに関する情報を受信し、前記ショッピングカート内に含まれている前記選択された少なくとも１つの商品それぞれに対して個別的にグラフィックコードを生成する。
【０００９】
前記決済サーバは、前記ショッピングサーバから前記選択された少なくとも１つの商品を含むショッピングカートに関する情報を受信し、前記ショッピングカート内に含まれている前記選択された少なくとも１つの商品すべてに対して単一のグラフィックコードを生成する。
【００１０】
前記少なくとも１つのグラフィックコードに関する情報は、前記選択された少なくとも１つの商品の価格または商品番号に関する情報、販売者に関する情報、購入者に関する情報または注文番号に関する情報のうちの少なくとも１つを含む。
【００１１】
前記モバイル端末が前記グラフィックコードを認識することに応答し、前記モバイル端末は、前記少なくとも１つのグラフィックコードを利用して、前記ユーザによって予め登録された少なくとも１つの決済手段に対するオプションをディスプレイする。
【００１２】
前記グラフィックコードは、バーコードまたはＱＲコードを含む。
【００１３】
前記ショッピングサーバは、インターネットショッピングモールまたはテレビショッピングモールのうちの少なくとも１つと連動する。
【００１４】
本発明の一実施形態に係るショッピングサーバ、決済サーバ、およびユーザ端末を含むショッピング決済システムにおいて、前記決済サーバの決済処理方法は、複数の商品のうちから前記ユーザ端末によって選択された少なくとも１つの商品に関する情報を含む決済要請を受信する段階、前記決済要請に応答して、前記少なくとも１つの商品に関する情報に基づいて前記少なくとも１つの商品の決済のための少なくとも１つのグラフィックコードを生成する段階、およびユーザのモバイル端末が前記少なくとも１つのグラフィック（ｇｒａｐｈｉｃａｌ）コードを認識して決済手続きを行う場合、前記少なくとも１つのグラフィックコードに対応する前記少なくとも１つの商品に関する情報を利用して、前記モバイル端末によって行われる決済手続きを承認する段階を含む。
【００１５】
前記少なくとも１つの商品の決済のための少なくとも１つのグラフィックコードを生成する段階は、前記ショッピングサーバから前記選択された少なくとも１つの商品を含むショッピングカートに関する情報を受信し、前記ショッピングカート内に含まれている前記選択された少なくとも１つの商品それぞれに対して個別にグラフィックコードを生成する段階を含む。
【００１６】
前記少なくとも１つの商品の決済のための少なくとも１つのグラフィックコードを生成する段階は、前記ショッピングサーバから前記選択された少なくとも１つの商品を含むショッピングカートに関する情報を受信し、前記ショッピングカート内に含まれている前記選択された少なくとも１つの商品すべてに対して単一のグラフィックコードを生成する段階を含む。
【００１７】
前記方法は、前記少なくとも１つのグラフィックコードを利用して、前記ユーザによって予め登録された少なくとも１つの決済手段に対するオプションを前記モバイル端末に送信する段階をさらに含む。
【００１８】
前記決済手続きを承認する段階は、前記少なくとも１つのグラフィックコードの生成時間、前記選択された少なくとも１つの商品が変更されたか否か、前記選択された少なくとも１つの商品を含むショッピングカートが変更されたか否かのうちの少なくとも１つに基づいて、前記少なくとも１つのグラフィックコードの有効性を検証する段階を含む。
【００１９】
前記少なくとも１つのグラフィックコードに関する情報は、前記選択された少なくとも１つの商品の価格または商品番号に関する情報、販売者に関する情報、購入者に関する情報または注文番号に関する情報のうちの少なくとも１つを含む。
【００２０】
前記少なくとも１つの商品の決済のための少なくとも１つのグラフィックコードを生成する段階は、前記グラフィックコードを生成する複数の方式のうちでユーザによって選択された方式を識別する段階、および前記識別された方式にしたがって前記少なくとも１つのグラフィックコードを生成する段階を含む。
【発明の効果】
【００２１】
本発明は、インターネットショッピングモール、スマートＴＶを利用したショッピングモール、ＴＶホームショッピングモールで決済を行うためにバーコードまたはＱＲコードを含むグラフィックコードをディスプレイし、モバイル端末を利用してグラフィックコードを認識することにより、より簡便に商品の費用を決済することができる。
【００２２】
また、本発明は、ショッピングを行うユーザ端末と決済を行うモバイル端末を個別に備えることにより、より安全に決済を行うことができる。
【図面の簡単な説明】
【００２３】
【図１】本発明の一実施形態における、ショッピング決済システムを示した図である。
【図２】本発明の一実施形態によってＰＣ、スマートＴＶ、ＴＶにディスプレイされる商品のリストおよびショッピングカートのリストを示した図である。
【図３】本発明の一実施形態よって生成されるグラフィックコードの例を示した図である。
【図４】本発明の一実施形態における、モバイル端末に表示されたスクリーンショットである。
【図５】本発明の多様な実施形態によってグラフィックコードを生成する多様な方式を説明した図である。
【図６】本発明の一実施形態における、ショッピング決済方法を示したフローチャートである。
【図７】本発明の一実施形態における、決済サーバを示したブロック図である。
【発明を実施するための形態】
【００２４】
本発明は、インターネットショッピングモール、スマートＴＶを利用したショッピングモール、ＴＶホームショッピングモールで決済を行うためにバーコードまたはＱＲコードを含むグラフィックコードをディスプレイし、モバイル端末を利用してグラフィックコードを認識することにより、より簡便に商品の費用を決済することができる。
以下、本発明の実施形態について、添付の図面を参照しながら詳細に説明する。
【００２５】
図１は、本発明の一実施形態における、ショッピング決済システムを示した図である。
【００２６】
図１を参照すると、本発明の一実施形態に係るショッピング決済システムは、インターネット１６０を介して互いに連結するショッピングサーバ１１０、決済サーバ１２０、ユーザ端末（ＰＣ）１３１、ユーザ端末（ＴＶ）１４１、モバイル端末１５０を含む。
【００２７】
ショッピングサーバ１１０は、インターネットショッピングモール、スマートテレビを利用したショッピングモールあるいは一般的なＴＶホームショッピングモールを運営してもよく、ユーザは、ユーザ端末（ＰＣ）１３１またはユーザ端末（ＴＶ）１４１を利用して前記ショッピングモールのうちの少なくとも１つに接続してもよい。
【００２８】
このとき、ユーザは、前記ショッピングモールで販売されている多数の商品のうちの少なくとも１つを選択してもよい。例えば、ユーザは、インターネットショッピングモールで所望する商品をクリックしてもよいし、スマートテレビを利用したショッピングモールあるいは一般的なＴＶホームショッピングモールで所望する商品の選択ボタンを押したり、所望する商品を選択するためにコールセンターに電話をかけたりしてもよい。
【００２９】
ここで、本発明の実施形態によると、決済サーバ１２０は、ユーザによって選択された商品の決済を行うためにグラフィック（ｇｒａｐｈｉｃａｌ）コードを生成する。このグラフィックコードは、バーコードあるいはＱＲコードを含んでもよい。
【００３０】
より具体的に、決済サーバ１２０は、ユーザによって選択された商品それぞれの価格、商品番号に関する情報、販売者に関する情報（例：ＩＤ）、購入者に関する情報、注文番号に関する情報をショッピングサーバ１１０から取得し、その情報に基づいてグラフィックコードを生成してもよい。
【００３１】
決済サーバ１２０によって生成されたグラフィックコードは、ユーザ端末（ＰＣ）１３１、ユーザ端末（ＴＶ）１４１に表示される。このとき、ユーザは、モバイル端末１５０を利用してグラフィックコードを認識してもよい。より具体的に、モバイル端末１５０は、カメラを利用してグラフィックコードを認識することにより、決済のために必要となる情報を抽出してもよい。もちろん、モバイル端末１５０には、このようなアルゴリズムを実行するためのグラフィックコード決済アプリケーションが予めインストールされていてもよい。このアプリケーションがインストールされていない状態でグラフィックコードが認識されると、モバイル端末１５０には、このアプリケーションをインストールするためのページが自動でローディングされてもよい。
【００３２】
モバイル端末１５０によってグラフィックコードが認識されると、グラフィックコード決済アプリケーションは、ユーザによって予め登録された決済手段が存在するかを判断し、予め登録された決済手段をユーザにディスプレイする。このとき、グラフィックコード決済アプリケーションは、ユーザによって予め登録された決済手段のうち、ショッピングサーバ１１０で活用可能な決済手段と活用不可能な決済手段とを互いに異なるようにディスプレイしてもよい。この後、ユーザは、予め登録された決済手段のうちの少なくとも１つを利用して決済手続きを行うようになるが、このような決済手続きは決済サーバ１２０によって承認される。
【００３３】
図２は、本発明の一実施形態における、ＰＣ、スマートＴＶ、ＴＶにディスプレイされる商品のリストおよびショッピングカートのリストを示した図である。
【００３４】
図２を参照すると、領域２１０には、ショッピングモールの商品リストがディスプレイされている。ショッピングモールの商品リストは、商品Ａ、商品Ｂ、…、商品Ｐを含んでいる。以下では、ユーザが領域２１０にディスプレイされる複数の商品のうちから商品Ａ、Ｊ、Ｎを選択したと仮定する。
【００３５】
ユーザが商品Ａ、Ｊ、Ｎを選択した場合、領域２２０には、ユーザのショッピングカートがディスプレイされるようになる。このとき、ユーザのショッピングカートには、ユーザによって選択された商品Ａ、Ｊ、Ｎが含まれる。
【００３６】
この後、ユーザは、ショッピングカートに含まれた商品のうちの少なくとも一部または全部を決済するために、「決済する」ボタン２３０を押してもよい。ユーザによって「決済する」ボタン２３０が押されると、ショッピングカートに含まれた商品Ａ、Ｊ、Ｎに関する情報（またはショッピングカートに関する情報）がショッピングサーバから決済サーバに送信される。
【００３７】
図３は、本発明の一実施形態によって生成されるグラフィックコードの例を示した図である。
【００３８】
図３を参照すると、決済サーバは、ユーザによって決済が要請されたことに応答し、ショッピングサーバからユーザによって選択された商品それぞれの価格、商品番号に関する情報、販売者に関する情報、購入者に関する情報、注文番号に関する情報のうちの少なくとも１つを取得する（３１０）。
【００３９】
決済サーバは、前記情報を利用してＱＲコード３２１またはバーコード３２２のうちの少なくとも１つを生成してもよい。この後、生成されたＱＲコード３２１またはバーコード３２２は、ユーザ端末（ＰＣ、ＴＶ、スマートＴＶなど）にディスプレイされる。特に、本発明の実施形態によると、ユーザは、ＱＲコード３２１またはバーコード３２２のうちから少なくとも１つを選択してもよく、決済サーバは、ユーザの選択に依存してＱＲコード３２１またはバーコード３２２うちの少なくとも１つを生成してもよい。
【００４０】
また、決済サーバは、ＱＲコード３２１またはバーコード３２２の有効性を管理してもよい。例えば、ＱＲコード３２１またはバーコード３２２は、制限された使用可能時間を有してもよい。すなわち、ＱＲコード３２１またはバーコード３２２の生成時間から予め決められた時間が超過すれば、そのＱＲコード３２１またはバーコード３２２を無効にしてもよい。
【００４１】
さらに、決済サーバは、ユーザによって選択された商品（ショッピングカート）の変更があれば、既に発行されていたＱＲコード３２１またはバーコード３２２を無効にしてもよい。
【００４２】
図４は、本発明の一実施形態における、モバイル端末に表示されるスクリーンショットである。
【００４３】
図４を参照すると、モバイル端末は、ユーザ端末にディスプレイされたグラフィックコードを認識してもよく、グラフィックコードの認識に対する応答あるいは手動でグラフィックコード決済アプリケーションを実行してもよい（４１０）。グラフィックコード決済アプリケーションがモバイル端末にインストールされていない場合、モバイル端末は、そのアプリケーションをインストールするためのページに移動してもよい。
【００４４】
グラフィックコード決済アプリケーションが実行されると、モバイル端末４１０は、ユーザによって予め登録された決済手段をディスプレイする（４２０）。ここで、本発明の実施形態は、ユーザによって予め登録された決済手段のうち、ショッピングサーバによって支援される決済手段とショッピングサーバによって支援されない決済手段とを異なるように表示してもよい。
【００４５】
また、ユーザは、モバイル端末４１０にディスプレイされた決済手段のうちから所望する決済手段を選択することで、ショッピングカートに含まれた商品の決済を行ってもよい。
【００４６】
図５は、本発明の実施形態によってグラフィックコードを生成する多様な方式を説明するための図である。
【００４７】
図５を参照すると、グラフィックコードは、多様な方式によって生成されてもよい。
【００４８】
方式１（５１０）は、ショッピングカートに含まれた商品それぞれに対して個別にグラフィックコードを生成している。したがって、ユーザ端末には、ショッピングカートに含まれた商品それぞれに対応するグラフィックコードが同時または順にディスプレイされるようになる。
【００４９】
方式２（５２０）は、ショッピングカートに含まれた商品すべてに対して単一のグラフィックコードを生成している。したがって、ユーザは、単一のグラフィックコードを認識することで、簡便にすべての商品に対する決済を完了できるようになる。
【００５０】
方式３（５３０）は、ショッピングカートに含まれた商品を２つ以上のグループにグルーピングし、グループそれぞれに対して個別にグラフィックコードを生成している。
【００５１】
さらに、本発明の実施形態によると、ユーザは、自身の選好にしたがって方式１〜３のうちから所望する方式を選択してもよく、決済サーバは、ユーザによって選択された方式に依存してグラフィックコードを生成してもよい。
【００５２】
図６は、本発明の一実施形態における、ショッピング決済方法を示したフローチャートである。
【００５３】
図６を参照すると、ユーザは、ユーザ端末を利用して所望する商品を選択し、それをショッピングカートに入れる（６１０）。
【００５４】
この後、ユーザ端末は、ショッピングカートに含まれた商品のうちの少なくとも一部に対する決済を要請する（６２０）。
【００５５】
ショッピングサーバは、決済要請を決済サーバに伝達する（６３０）。このとき、決済サーバは、決済要請に含まれたショッピングカートに関する情報（商品の価格または商品番号に関する情報、販売者に関する情報、購入者に関する情報または注文番号など）を利用してグラフィックコードを生成する（６４０）。
【００５６】
ここで、グラフィックコードを生成する方式は複数が存在するが、ユーザによって選択された方式によってグラフィックコードが生成されてもよい。ユーザによって選択された方式が存在しない場合には、デフォルト設定された方式が適用されてもよい。
【００５７】
決済サーバは、生成されたグラフィックコードをユーザ端末に伝達し（６５０）、ユーザ端末でグラフィックコードを表示する（６６０）。このとき、モバイル端末は、カメラなどを利用してユーザ端末に表示されたグラフィックコードを認識し（６７０）、決済アプリケーションを実行させる（６８０）。
【００５８】
モバイル端末は、決済サーバに接続し、グラフィックコードから抽出した情報を決済サーバと共有する（６９０）。このとき、決済サーバは、モバイル端末によって共有される情報に基づいてグラフィックコードの有効性を検証する（６９１）。特に、決済サーバは、グラフィックコードの生成時間、ユーザによって選択された少なくとも１つの商品が変更されたか否か、またはユーザによって選択された少なくとも１つの商品を含むショッピングカートが変更されたか否かのうちの少なくとも１つに基づいてグラフィックコードの有効性を検証してもよい。
【００５９】
検証が完了すると、決済サーバは、ユーザによって予め登録された決済手段に関する情報をモバイル端末に送信する（６９２）。このとき、ユーザは、モバイル端末に表示された決済手段のうちのいずれか１つを利用して決済手続きを行い、承認要請を送信する（６９３）。決済サーバは、モバイル端末によって行われた決済手続きを承認する（６９４）。承認結果は、ショッピングサーバに通報される（６９５）。
【００６０】
図７は、本発明の一実施形態における、決済サーバを示したブロック図である。
【００６１】
図７を参照すると、本発明の一実施形態に係る決済サーバは、通信インターフェース７１０、プロセッサ７２０、およびメモリ７３０を備える。
【００６２】
通信インターフェース７１０は、複数の商品のうち、前記ユーザ端末によって選択された少なくとも１つの商品に関する情報を含む決済要請を受信する。
【００６３】
プロセッサ７２０は、前記決済要請に応答し、前記少なくとも１つの商品に関する情報に基づいて前記少なくとも１つの商品の決済のための少なくとも１つのグラフィックコードを生成する。また、プロセッサ７２０は、ユーザのモバイル端末が前記少なくとも１つのグラフィック（ｇｒａｐｈｉｃａｌ）コードを認識して決済手続きを行う場合、前記少なくとも１つのグラフィックコードに対応する前記少なくとも１つの商品に関する情報を利用して、前記モバイル端末によって行われる決済手続きを承認する。
【００６４】
メモリ７３０は、プロセッサ７２０によって要求される情報を臨時的あるいは永久的に格納する。
【００６５】
図７に示す決済サーバには、図１〜図６を参照しながら説明した事項をそのまま適用してもよいため、より詳しい説明は省略する。
【００６６】
上述した装置は、ハードウェア構成要素、ソフトウェア構成要素、および／またはハードウェア構成要素とソフトウェア構成要素との組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてもよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを格納、操作、処理、および生成してもよい。理解の便宜のために、１つの処理装置が使用されるとして説明される場合もあるが、当業者は、処理装置が複数の処理要素（ｐｒｏｃｅｓｓｉｎｇ  ｅｌｅｍｅｎｔ）および／または複数種類の処理要素を含んでもよいことが理解できるであろう。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００６７】
ソフトウェアは、コンピュータプログラム、コード、命令、またはこれらのうちの１つ以上の組み合わせを含んでもよく、所望するとおりに動作するように処理装置を構成したり、独立的または集合的に（ｃｏｌｌｅｃｔｉｖｅｌｙ）処理装置に命令したりしてよい。ソフトウェアおよび／またはデータは、処理装置に基づいて解釈されたり、処理装置に命令またはデータを提供したりするために、ある種類の機械、コンポーネント、物理装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的または一時的に具現化（ｅｍｂｏｄｙ）されてもよい。ソフトウェアは、ネットワークによって接続されたコンピュータシステム上に分散され、分散された態様で格納されても実行されてもよい。ソフトウェアおよびデータは、１つ以上のコンピュータで読み取り可能な記録媒体に格納されてもよい。
【００６８】
実施形態に係る方法は、多様なコンピュータ手段によって実行可能なプログラム命令の形態で実現されてコンピュータで読み取り可能な媒体に記録されてもよい。前記コンピュータで読み取り可能な媒体は、プログラム命令、データファイル、データ構造などを単独でまたは組み合わせて含んでもよい。前記媒体に記録されるプログラム命令は、実施形態のために特別に設計されて構成されたものであってもよいし、コンピュータソフトウェア当業者に公知な使用可能なものであってもよい。コンピュータで読み取り可能な記録媒体の例としては、ハードディスク、フロッピディスク、磁気テープのような磁気媒体、ＣＤ−ＲＯＭ、ＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどのようなプログラム命令を格納して実行するように特別に構成されたハードウェア装置が含まれる。プログラム命令の例は、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして動作するように構成されてもよく、その逆も同じである。
【００６９】
以上のように、実施形態を、限定された実施形態と図面に基づいて説明したが、当業者であれば、上述した記載から多様な修正および変形が可能である。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００７０】
したがって、異なる実施形態であっても、特許請求の範囲と均等なものであれば、添付される特許請求の範囲に属する。
【図１】
2016534453.tif 000003
【図２】
2016534453.tif 000004
【図３】
2016534453.tif 000005
【図４】
2016534453.tif 000006
【図５】
2016534453.tif 000007
【図６】
2016534453.tif 000008
【図７】
2016534453.tif 000009
【国際調査報告】
2016534453.tif 000010
2016534453.tif 000011
2016534453.tif 000012
2016534453.tif 000013